(57)【要約】  犬用のハーネスは、犬の胴を囲む胴のストラップと、犬の背中にまわる肩のストラップとから構成されている。胴のストラップは、犬の胸を囲む胸のストラップと接続される。胸のストラップには細長いリンカーが設けられている。リードコネクタが細長いリンカーの両端に取り付けられている。リードがいずれかのコネクタに取り付けられた時、リードがある方向に引っ張られることによって、この引っ張り方向にリードコネクタがスライドし、細長いリンカーをサイドに引っ張り、動物によって認知され得る不快な音が出て、動物の訓練の助けとなる。リードがぴんと張って細長いリンカーをサイドにずっと引っぱると、細長いリンカーは犬の胸の中心からずれた引張方向に移動し、そのため対向反射を減少させる。
2015521044.tif 000002
【特許請求の範囲】
【請求項１】
動物の胴の回りに配置されるハーネスであって、少なくとも１本の上側の肩のストラップと、少なくとも１本の下側の胴のストラップと、２本の胸のストラップと、細長いリンカーとを含む、ハーネス。
【請求項２】
前記細長いリンカーは両方の胸のストラップに係合し、前記細長いリンカーは２つの開口部を通り、２つの円形リングで終端し、前記２つの円形リングの一方はリードコネクタとして作用し、他方はストッパとして機能し、
前記ハーネスが第１の大きな胴回り位置にある時に、前記リードコネクタに加えられる犬の胴回りから離れる方向の引張力によって、複数のより小さな胴回り位置を通って最小の胴回り位置まで前記開口部を通って前記細長いリンカーが移動することができ、前記最小の胴回り位置は、犬の胴回りの拘束または動きの範囲を制限することのないような犬の胴回り位置と同様である、請求項１に記載のハーネス。
【請求項３】
前記細長いリンカーは両方の胸のストラップに係合し、前記細長いリンカーは２つの開口部を通り、１つの共通の円形のリングで終端し、前記１つの共通の円形のリングはリードコネクタとして作用し、前記細長いリンカーは連続するループを形成するのでストッパは必要でなく、
前記ハーネスが第１の大きな胴回り位置にある時に、前記リードコネクタに加えられる犬の胴回りから離れる方向の引張力によって、複数のより小さな胴回り位置を通って最小の胴回り位置まで前記開口部を通って前記細長いリンカーが移動することができ、前記最小の胴回り位置は、犬の胴回りの拘束または動きの範囲を制限することのないような犬の胴回り位置と同様である、請求項１に記載のハーネス。
【請求項４】
前記犬の前記胴回りは、前記犬の前記胸回りである、請求項１に記載のハーネス。
【請求項５】
前記開口部を通る前記細長いリンカーの動きによって、前記動物によって認知され得る不快な音が生じる、請求項１に記載のハーネス。
【請求項６】
前記不快な音は前記動物の訓練を助ける、請求項５に記載のハーネス。
【請求項７】
前記細長いリンカーは鎖である、請求項１〜６のいずれか一項に記載のハーネス。
【請求項８】
前記鎖は捩りリンクチェーンである、請求項７に記載のハーネス。
【請求項９】
前記リンカーは、最善の訓練応答を得るために前記動物によって認知され得る前記不快な音を最適にするリンカー材料から形成される、請求項５〜７のいずれか一項に記載のハーネス。
【請求項１０】
前記リンカー材料は、最善の訓練応答を得るために前記動物によって認知され得る前記不快な音を最適にするように増減されるゲージを有する鎖である、請求項８に記載のハーネス。
【請求項１１】
前記肩のストラップと前記胴のストラップとは、肩から胴にかけて輪を形成するように、第１のコネクタに約１８０度の角度で取り付けられており、前記胸のストラップは、肩から胴にかけての前記輪に対して９０度の角度で前記第１のコネクタに取り付けられている、請求項１に記載のハーネス。
【請求項１２】
前記肩のストラップ、前記胴のストラップ、前記胸のストラップのそれぞれに、少なくとも一つの調整手段が設けられている、請求項１に記載のハーネス。
【請求項１３】
前記肩のストラップおよび／または前記胴のストラップに、少なくとも１つのバックルが設けられている、請求項１に記載のハーネス。
【請求項１４】
犬と至近距離で歩くためやリードなしの歩行を教えるステップに利用するためのリード取り付け部を提供するために、２つの半円（Ｄリング）のコネクタが前記上側の肩のストラップに取り付けられている、請求項１に記載のハーネス。
【請求項１５】
前記ハーネスの前記開口部はリングの形状である、先行する請求項のいずれか一項に記載のハーネス。
【請求項１６】
前記リングはＯリングである、請求項１４に記載のハーネス。
【請求項１７】
前記リングはＤリングである、請求項１４に記載のハーネス。
【請求項１８】
前記ハーネスの前記第１のコネクタの形状は、リング型、長方形または、正方形である、先行する請求項のいずれか一項に記載のハーネス。
【請求項１９】
前記コネクタはＯリングである、請求項１７に記載のハーネス。
【請求項２０】
前記コネクタはＤリングである、請求項１７に記載のハーネス。
【請求項２１】
前記コネクタは長方形のコネクタである、請求項１７に記載のハーネス。
【請求項２２】
前記コネクタは正方形のコネクタである、請求項１７に記載のハーネス。
【発明の詳細な説明】
【技術分野】
【０００１】
技術分野
本発明は犬のハーネスに関し、より特定的には、犬を効果的に訓練することを可能にするとともに、必要な時に犬をコントロールすることができる、犬のハーネスに関する。
【背景技術】
【０００２】
背景技術
犬の訓練および犬を扱うことは様々な面を有する。犬の訓練の最も重要な部分の一つは、犬に歩くことを教えるために作られた装置である。今日では、首輪、頭部拘束具、ハーネスが市場において利用できる。
【０００３】
首輪は、人と犬が共生して以来、ずっと使われている。その後、ハーネスが現れた。ハーネスは元々はそりを引くために使われていた。頭部拘束具は前世紀の後半に現れた。
【０００４】
ハーネスは、従来からいつも、胸を包囲し、犬を保有するハンドラーのためにリードが取り付けられるアンカーポイントを有する、犬の体に合う道具であった。
【０００５】
今日上市されているハーネスは、音を使って、犬に対して何かを伝達することができず、また、そのデザインに関連して鎖を有していない。今日上市されているハーネスのいかなる応用においても、コミュニケーションするように設計されておらず、犬を拘束し、犬が前方へ動くことを停止させるために設計されている。
【０００６】
全てのタイプの犬の首輪は、一般人、犬のトレーナー、獣医の大勢にあまり好意的に受け入れられていない。何年も前から犬とコミュニケーションをとるために使われていたチェックチェーンは、今ではほとんど存在せず、その評判もよくなかった。
【０００７】
ハーネスやヘッドカラーが、チェックチェーンにとって代わった。しかし、人道的で世間に受け入れられるような方法で犬とコミュニケーションをとるために使用され得る訓練装置が依然として必要である。
【０００８】
ハーネスは犬の飼い主と獣医とに人気があること、今日の犬の訓練の世界においてハーネスはより広く受け入れられていることから、コミュニケーションがとれて、優しく穏やかなハーネスは、市場によく受け入れられるであろう。
【０００９】
我々のハーネスは、飼い犬に使用されるとともに、すぐ後について正しく歩くように犬を訓練するための訓練道具として使用されるように設計されている。ハーネスは、犬が前方に引っ張った時に一方の端部にある丸い金属リングを通って鎖がぴんと張るように設計されている。ハーネスは、左利き及び右利きのハンドラーによって使用されることができる。リードはいずれかの金属リングに接続されることができ、鎖はハンドラーの方向にスライドしてぴんと張る。
【００１０】
リードが引っ張られてぴんと張ると、鎖は、ハンドラーが立っている側に犬の胸全体にわたってぴんと張る。すると、鎖は鋼のリングをスライドして、犬に聞こえる可聴性の金属音を生成する。鎖がハーネスの最端部に達する直前に、この音は犬に聞こえる。この音は、予めの警告または早期警告信号であり、ハーネスの末端が突破されようとしていることを犬に知らせ、したがって、ハーネスの最端点に達する前に引っ張るのをやめることを犬に教える。
【００１１】
犬の胸の領域のまわりをぴんと張ったり緩めたりしながら、オペラント条件付けという「近代的な哲学」に基いて、鎖が金属音を生成するちょうどその時に、ハーネスによって、訓練者またはハンドラーが、「言葉からなる可聴性の音」でコミュニケーションをとるができる。
【発明の概要】
【課題を解決するための手段】
【００１２】
発明の概要
最も広い形態として、本発明は、動物の胴の周りに配置される拘束具を提供し、この拘束具は、
犬の肩の下側に位置する少なくとも一つの胴のストラップと、
犬の肩の上側の全域にわたって位置する少なくとも一つの胴のストラップとを含み、胴のストラップはリングコネクタによってともに接続されて胴を取囲むストラップを形成し、
犬の胸の前方の周りを通るように適合された２つのストラップが９０度の角度でこのリングに取り付けられ、
胸のストラップのそれぞれの端部に、細長いリンカーが取り付けられ、
細長いリンカーは、２つの開口部を通ってそれぞれの胸のストラップに接続されるリンカーと、リンカーのそれぞれの端部に取り付けられてストッパ及び接続ポイントとして作用する１つまたは２つのリングとから構成され、
拘束具が第１の大きな胴回り位置にある時に、ストッパに加えられる犬の胴回りから離れる方向の引張力によって、複数の第２のより小さな胴回り位置を通って最小の胴回り位置まで開口部を通って細長いリンカーが移動することができ、最小の胴回り位置は、動物の胴回りの拘束がないような動物の胴回り位置と実質的に同様である。
【００１３】
好ましくは、犬の胴回りは、犬の胸回りである。
好ましくは、開口部を通る細長いリンカーの動きによって、動物によって認知され得る不快な音が生じる。
【００１４】
さらに好ましくは、不快な音は動物の訓練を助ける。
別の好ましい形態として、細長いリンカーは鎖である。
【００１５】
さらに別の好ましい形態として、リンカーは、最善の訓練応答を得るために動物によって認知され得る不快な音を最適にするリンカー材料から形成される。
【００１６】
好ましくは、リンカー材料は、最善の訓練応答を得るために動物によって認知され得る不快な音を最適にするように増減されるゲージを有する鎖である。
【００１７】
さらに別の好ましい形態として、拘束具は、さらに、動物の胴の周りに拘束具を配置したり調整することを容易にするための配置装置を含む。
【００１８】
好ましくは、拘束具は、ベルトの端部において胸のストラップのそれぞれにベルト長さ調整装置を含む。ベルトは、ベルト長さ調整部材を通すために、ベルトの端部において折り返されており、そのため、拘束具の胴の周りの長さを長くしたり短くしたりすることができる。
【００１９】
好ましい形態として、拘束具のストッパは、つなぎ綱に係合するのに適している。
別の好ましい形態として、拘束具のストッパは、つなぎ綱に常に取り付けられている。
【００２０】
さらなる好ましい形態として、拘束具の開口部は、ＯリングまたはＤリングのようなリングの形状である。
【００２１】
好ましくは、拘束具のストッパは、実質的に環状である。
【図面の簡単な説明】
【００２２】
【図１】図１は、リードコネクタ／ストッパを有する細長いリンカーを有するハーネスを示す。細長いリンカーの両端に、リードコネクタ／ストッパを有する。
【図２】図２は、一つの共通のリードコネクタを有する細長いリンカーを有するハーネスを示す。細長いリンカーの両端は同じコネクタに取り付けられて輪を形成する。
【図３】犬の胴に装着されたハーネスの側面図を示す。
【図４】犬と至近距離で歩いたりリードなしの訓練をするために２つのサイドコネクタの一つに接続されたリードを有する、犬の胴に装着されたハーネスの側面図を示す。
【発明を実施するための形態】
【００２３】
発明の詳細な説明
様々なタイプのリングコネクタを使用することができる。円形のリングコネクタはいくつかのストラップを収容することができる。いくつかのストラップのそれぞれは、その円の周りを自由に回転することができる。「長方形のコネクタ」は、耐久性のある材料で作られた長方形のリングであり、少なくとも３本のストラップが取り付けられてもよい。長方形のコネクタでは、そのコネクタを通るストラップの方向が変えることができないので、固定された取り付け角度が望ましい場合に選択される。２本のストラップを長方形のコネクタに取り付けようとする場合には、幅の狭い長方形のコネクタが選択される。３本または４本のストラップを長方形のコネクタに取り付けようとする場合には、コネクタは正方形に近づく。３本のストラップを接続しようとする場合には、三角形のコネクタを選択してもよい。本発明を記述するに当たり、「第１のコネクタ」は、ハーネスの両側において、肩のストラップ、胴のストラップ及び胸のストラップに取り付けられた円形のリングコネクタである。
【００２４】
半円のリング、または「Ｄリング」コネクタは、Ｄリングのカーブした部分では回転することができるが、Ｄリングの平らな部分では回転することができない。Ｄリングは、平らな面をそれぞれの胸のストラップの端部に確実に固定し、細長いリンカーのための開口部を形成する「第２のコネクタ」であることが好ましい。円形のリングコネクタは、好ましくは、リンカーの各端部に設けられて、一方がリードコネクタであり他方がストッパであるコネクタである。
【００２５】
別の実施の形態では、リンカーの両端を接続するために、１つの円形リングコネクタを用いることができる。この１つの円形リングコネクタは、リード接続ポイントを提供するとともに、細長いリンカーがループを形成するためストッパを設ける必要がなくなる。
【００２６】
リードが引っ張られてぴんと張ると、鎖は、ハンドラーが立っている側に犬の胸全体にわたってぴんと張る。すると、鎖は鋼のリングをスライドして、犬に聞こえる可聴性の金属音を生成する。鎖がハーネスの最端部に達する直前に、この音は犬に聞こえる。この音は、予めの警告または早期警告信号であり、ハーネスの末端が突破されようとしていることを犬に知らせ、したがって、ハーネスの最端点に達する前に引っ張るのをやめることを犬に教える。もし、ハーネスの端部に達した場合には、細長いリンカーが左右にバランスする中心に移動するために、犬は引っ張られる方向に向きを変え、犬をハンドラー向き合わせ、再び注意を向けさせて、ハンドラーが犬に訓練を再開することができるようにする。
【００２７】
「調整スライド」は、中心の棒状体を有する幅の狭い長方形のコネクタである。本発明では、調整スライドは、上側の肩のストラップと、下側の胴のストラップと、両方の胸のストラップとに用いられて、あらゆる体型と体の大きさに合うように最大限の調整力を提供する。接続されるストラップが、第１の側を通り、中心の棒状体を越えて、第２の側を通るようにして、調整スライドは中心の棒状体によって１つのストラップにしっかりと固定される。犬が通常の運動を行っても滑らないが、接続するストラップが調整スライドを通ってしっかりした力で引っ張られ得るように、ストラップ材料に対して調整スライドがバランスしている。
【００２８】
「細長いリンカー」の組立体の長さは、ハーネスの全体の大きさに応じていかなる長さでもよいが、一般的に２インチから８インチである。
【００２９】
本発明では、様々な取り外し可能なコネクタを使用することができる。簡単のため、「バックル」という用語が使用されるが、添付の特許請求の範囲の範囲外とすることなく、他のいかなる取り外し可能なコネクタで置き換えることができる。好ましいバックルとして、クイックリリースバックルを例示することができるが、スタンダードバックル、フック、または面ファスナーを使用してもよい。
【００３０】
ストラップのためにいかなる材料を使用してもよい。快適さと調節力のため、帯ひもは好ましい材料である。帯ひもは、容易に縫い合わせて、２つの部分を確実に取り付けることができ、スライドコネクタを通じて力を加えて引っ張ることができ、元の位置のままである。帯ひもは、ナイロン、綿、または他の材料から作られていてもよい。皮膚や犬に当たってすれることを避けるために、コネクタを通じて引っ張られるストラップの端部はハーネスの外側に向けられている。
【００３１】
多くの従来技術のハーネスがある。肩または背中の頂部にリードコネクタを有するハーネスは、犬が引っ張った時に胸の中心に圧力を伝えるため、対向反射を引きおこして、犬が前方へ引っ張ることを誘発してしまう。
【００３２】
本発明は、図面を参照することによって、最もよく例示される。
図１に示されるように、ハーネス１５は、一般的に、下側の胴のストラップ１と、上側の肩のストラップ２と、２つの胸のストラップ３ａ、３ｂとを含み、これらは、第１のコネクタ４ａ、４ｂを通じて、互いに９０度の角度で取り付けられる。この３本のストラップを取り付けるのに適したあらゆるコネクタを用いることができる。胸のストラップ５ａ、５ｂの遠端は、調整スライド８ａ、８ｂを通り、細長いリンカー７ａ、７ｂの開口部に巻き付き、調整スライドの中心の棒状体に取り付けられる。リンカー６は、開口部７ａ、７ｂのそれぞれを通り、両端は２つの円形のリングコネクタ９ａ、９ｂに取り付けられる。２つのリングコネクタ９ａ、９ｂの一方はリードとの接続ポイントを形成し、他方はストッパとして機能する。２つの円形接続リング９ａ、９ｂを備えているので、いずれのリングが接続であり、いずれのリングがストッパであることを変えることによって、犬をいずれの側にも歩かせることができ、たとえハンドラーが犬をいずれの側に歩かせるかを決めても、犬に均等効果と逆効果を与えることができる。バックル１０が上側の肩のストラップのいかなるポイントにも取り付けられてもよく、バックル１０によってこのストラップを開くようにしてもよい。調整スライド１１はバックル１０の近くに配置される。調整スライド１３を有する第２のバックル１２が下側の胴のストラップ１に配置されてもよく、第２のバックル１２によって下側の胴のストラップを開くようにしてもよい。第２のバックル１２を利用しない場合は、調整スライドは第１のコネクタ４ａまたは４ｂの近くに配置して、下側の胴のストラップ１を調節できるようにする。上側の肩のストラップ２における第１のコネクタ４ａ、４ｂの直上に、二つの半円リング（Ｄリング）コネクタ１４ａ、１４ｂを取り付け、犬と至近距離で歩く場合やリードなしの訓練時に使用する。
【００３３】
図２に示されるように、ハーネス１５は、一般的に、下側の胴のストラップ１と、上側の肩のストラップ２と、２つの胸のストラップ３ａ、３ｂとを含み、これらは、第１のコネクタ４ａ、４ｂを通じて、互いに９０度の角度で取り付けられる。この３本のストラップを取り付けるのに適したあらゆるコネクタを用いることができる。胸のストラップ５ａ、５ｂの遠端は、調整スライド８ａ、８ｂを通り、細長いリンカー７ａ、７ｂの開口部に巻き付き、調整スライドの中心の棒状体に取り付けられる。リンカー６は、開口部７ａ、７ｂそれぞれを通り、両端は１つの円形のリングコネクタ９に取り付けられる。１つの円形接続リングを備えているので、犬をいずれの側にも歩かせることができ、たとえハンドラーが犬をいずれの側に歩かせるかを決めても、犬に均等効果と逆効果を与えることができる。バックル１０が上側の肩のストラップのいかなるポイントにも取り付けられてもよく、バックル１０によってこのストラップを開くようにしてもよい。調整スライド１１はバックル１０の近くに配置される。調整スライド１３を有する第２のバックル１２が下側の胴のストラップ１に配置されてもよく、第２のバックル１２によって下側の胴のストラップを開くようにしてもよい。第２のバックル１２を利用しない場合は、調整スライドは第１のコネクタ４ａまたは４ｂの近くに配置して、下側の胴のストラップ１を調節できるようにする。上側の肩のストラップ２における第１のコネクタ４ａ、４ｂの直上に、二つの半円リング（Ｄリング）コネクタ１４ａ、１４ｂを取り付け、犬と至近距離で歩く場合やリードなしの訓練時に使用する。
【００３４】
図３は、ハーネスを正しく装着した様子を示すための、犬に装着されたハーネス１５を側面から見た図を示す。下側の胴のストラップ１及び上側の肩のストラップ２は、胸のストラップ３ｂに向かって少し変位した輪を形成している。ストラップ１とストラップ２とは、快適にぴったりとフィットするように調整される。胸のストラップ３ｂは、地面と水平または平行になり、胴から肩にかけての前記輪をあまりに前方に引っ張らないように調節される。
【００３５】
図４は、犬と至近距離で歩くためやリードなしの歩行を教えるステップに利用するために、Ｄリング１４ｂに短いリード１６を取り付けることを示すための、犬に装着されたハーネス１５を側面から見た図を示す。
【００３６】
上述の具体例から明らかなように、動物の継続的な動き、および／または、リードコネクタ９ａまたはリードコネクタ９ｂに加えられる継続的な引張力に比例して、ハーネス１５が配置される動物の胴の周りと実質的に同様の胴回りをこえて、ハーネス１５が継続的にぴんと張ることがないように、ハーネス１５は設計されている。このため、この特徴は、動物の胴回りが制約されてしまうことを防ぐ。好ましくは、繰り返し使用された後に、開口部７ａまたは開口部７ｂを通るリンカー６の音と、トレーナーまたは飼い主の命令に従わなかったこととの間の関連付けが、動物によって形成される。動物は、こうして、この音が禁止の合図と認知して、音を鳴り出さないように行動を改める。こうして、聴覚の合図に対するこのような条件反応によって、動物は行動を修正する。このことは、動物の訓練に有用であり得る。たとえば、もし、動物がハーネス１５を装着して、リードを保持するハンドラーによって設定されたペースを超えるペースでリードに繋がれたまま歩行をしたり、または、動物が「ストップ」の命令に従わなかったりすると、開口部７ａまたは開口部７ｂを移動するリンカー６の音が鳴り始める。犬のハンドラーは、犬に対して言葉で叱り、このことは、開口部７ａまたは開口部７ｂを移動するリンカー６の不快な音が、動物が適切に行動しておらず、この音が禁止の合図であるという標識であることを補強する。その結果、動物は、例えば、移動するハーネス１５のリンカー６の音を妨げるために、命令に応答して、ペースを遅くしたり、動きを止めたりすることを学ぶ。
【００３７】
先行技術の固定されたリードコネクタを有するハーネスとは異なり、ハーネス１５の非拘束的な特徴によって、ハーネスを訓練モード及び非訓練モードに使用することができる。つまり、ハンドラーがある言葉による命令や視覚的な命令を実行する時に、ハーネス１５を動物に着せることができる。しかし、訓練セッションでない（すなわち、動物は、偶発的な訓練ではなく、単に運動させられる）場合には、ハーネス１５は動物の動きを制限しないため、ハーネス１５をこの非訓練モードの間にも使用することができる。
【００３８】
当業者は、数々の変形や修正が明らかであることを認識するであろう。当業者にとって明らかなこのような変形や修正の全ては、以上の記載に広く表れている本発明の精神および範囲内であると考えられるべきである。
【図１】
2015521044.tif 000003
【図２】
2015521044.tif 000004
【図３】
2015521044.tif 000005
【図４】
2015521044.tif 000006
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
動物の胴の回りに配置されるハーネスであって、少なくとも１本の上側の肩のストラップと、少なくとも１本の下側の胴のストラップと、２本の胸のストラップと、細長いリンカーとを含む、ハーネス。
【請求項２】
前記細長いリンカーは両方の胸のストラップに係合し、前記細長いリンカーは２つの開口部を通り、２つの円形リングで終端し、前記２つの円形リングの一方はリードコネクタとして作用し、他方はストッパとして機能し、
前記ハーネスが第１の大きな胴回り位置にある時に、前記リードコネクタに加えられる犬の胴回りから離れる方向の引張力によって、複数のより小さな胴回り位置を通って最小の胴回り位置まで前記開口部を通って前記細長いリンカーが移動することができ、前記最小の胴回り位置は、犬の胴回りの拘束または動きの範囲を制限することのないような犬の胴回り位置と同様である、請求項１に記載のハーネス。
【請求項３】
前記細長いリンカーは両方の胸のストラップに係合し、前記細長いリンカーは２つの開口部を通り、１つの共通の円形のリングで終端し、前記１つの共通の円形のリングはリードコネクタとして作用し、前記細長いリンカーは連続するループを形成するのでストッパは必要でなく、
前記ハーネスが第１の大きな胴回り位置にある時に、前記リードコネクタに加えられる犬の胴回りから離れる方向の引張力によって、複数のより小さな胴回り位置を通って最小の胴回り位置まで前記開口部を通って前記細長いリンカーが移動することができ、前記最小の胴回り位置は、犬の胴回りの拘束または動きの範囲を制限することのないような犬の胴回り位置と同様である、請求項１に記載のハーネス。
【請求項４】
前記犬の前記胴回りは、前記犬の前記胸回りである、請求項１に記載のハーネス。
【請求項５】
前記開口部を通る前記細長いリンカーの動きによって、前記動物によって認知され得る不快な音が生じる、請求項１に記載のハーネス。
【請求項６】
前記不快な音は前記動物の訓練を助ける、請求項５に記載のハーネス。
【請求項７】
前記細長いリンカーは鎖である、請求項１〜６のいずれか一項に記載のハーネス。
【請求項８】
前記鎖は捩りリンクチェーンである、請求項７に記載のハーネス。
【請求項９】
前記リンカーは、最善の訓練応答を得るために前記動物によって認知され得る前記不快な音を最適にするリンカー材料から形成される、請求項５〜７のいずれか一項に記載のハーネス。
【請求項１０】
前記リンカー材料は、最善の訓練応答を得るために前記動物によって認知され得る前記不快な音を最適にするように増減されるゲージを有する鎖である、請求項８に記載のハーネス。
【請求項１１】
前記肩のストラップと前記胴のストラップとは、肩から胴にかけて輪を形成するように、第１のコネクタに約１８０度の角度で取り付けられており、前記胸のストラップは、肩から胴にかけての前記輪に対して９０度の角度で前記第１のコネクタに取り付けられている、請求項１に記載のハーネス。
【請求項１２】
前記肩のストラップ、前記胴のストラップ、前記胸のストラップのそれぞれに、少なく
とも一つの調整手段が設けられている、請求項１に記載のハーネス。
【請求項１３】
前記肩のストラップおよび／または前記胴のストラップに、少なくとも１つのバックルが設けられている、請求項１に記載のハーネス。
【請求項１４】
犬と至近距離で歩くためやリードなしの歩行を教えるステップに利用するためのリード取り付け部を提供するために、２つの半円（Ｄリング）のコネクタが前記上側の肩のストラップに取り付けられている、請求項１に記載のハーネス。
【請求項１５】
前記ハーネスの前記開口部はリングの形状である、先行する請求項のいずれか一項に記載のハーネス。
【請求項１６】
前記リングはＯリングである、請求項１５に記載のハーネス。
【請求項１７】
前記リングはＤリングである、請求項１５に記載のハーネス。
【請求項１８】
前記ハーネスの前記第１のコネクタの形状は、リング型、長方形または、正方形である、先行する請求項のいずれか一項に記載のハーネス。
【請求項１９】
前記コネクタはＯリングである、請求項１８に記載のハーネス。
【請求項２０】
前記コネクタはＤリングである、請求項１８に記載のハーネス。
【請求項２１】
前記コネクタは長方形のコネクタである、請求項１８に記載のハーネス。
【請求項２２】
前記コネクタは正方形のコネクタである、請求項１８に記載のハーネス。
【国際調査報告】
2015521044.tif 000007
2015521044.tif 000008